(57)【要約】【課題】上部材と下部材のそれぞれの周壁に設けられた貫通孔または切り欠き部を重ね合わせて取り出し口が形成される錠剤収納ケースで、上部材と下部材とが外れてしまう恐れのない錠剤収納ケースを提供する。【解決手段】上部材１と下部材２を有する錠剤収納ケース１００であって、上部材は、円形の上面板１１と上面板の周縁部より下方に伸びる上部材周壁１２からなり、下部材は、円形の下面板２１と下面板の周縁部より上方に伸びる下部材周壁２２からなり、上部材と下部材が、上面板と下面板のそれぞれの中央で、回転軸２３と軸受け１３で嵌合して互いに回転可能に一体に組み合わされ、上部材周壁と下部材周壁は、いずれかが外側となって重なり合い、それぞれに設けた貫通孔または切り欠き部１５、２５が重なることによって、取り出し口が形成される。【選択図】図５
2015081105.tif 000002
【特許請求の範囲】
【請求項１】
上部材と下部材を有する錠剤収納ケースであって、
前記上部材は、円形の上面板と該上面板の周縁部より下方に伸びる上部材周壁からなり、前記下部材は、円形の下面板と該下面板の周縁部より上方に伸びる下部材周壁からなり、前記上部材と前記下部材が、前記上面板と前記下面板のそれぞれの中央で、回転軸が軸受けで嵌合して互いに回転可能に一体に組み合わされ、前記上部材周壁と前記下部材周壁は、いずれかが外側となって重なり合い、それぞれに設けた貫通孔または切り欠き部が重なることによって、取り出し口が形成されることを特徴とする錠剤収納ケース。
【請求項２】
前記上部材周壁と前記下部材周壁の外面または外側に、滑り止め機構を設けた外周壁が設けられていることを特徴とする請求項１に記載の錠剤収納ケース。
【請求項３】
前記上部材周壁と前記下部材周壁のいずれか一方に欠損部が設けられ、他方に凸部が設けられ、前記凸部が前記欠損部内で周方向に移動可能で、移動可能範囲が、前記上部材周壁と前記下部材周壁のそれぞれに設けた前記貫通孔または切り欠き部が重なる位置から重ならない位置までであることを特徴とする請求項１または２に記載の錠剤収納ケース。
【請求項４】
前記上部材周壁と前記下部材周壁のいずれか一方に縦方向の突起と、他方に縦方向の溝を、いずれか一方を１本または２本、他方を２本設け、前記上部材周壁と前記下部材周壁のそれぞれに設けた前記貫通孔または切り欠き部が重なる位置と、重ならない位置でいずれかの前記突起がいずれかの前記溝に嵌り込んでロックすることを特徴とする請求項１から３のいずれか１項に記載の錠剤収納ケース。
【発明の詳細な説明】
【技術分野】
【０００１】
本発明は、錠剤収納ケースに関するものである。特に携帯して持ち運びしやすい錠剤収納ケースに関するものである。
【背景技術】
【０００２】
従来から、食品や薬剤などの錠剤を携帯するための容器として、各種の形状ものが提案されている。その代表的なものとして、携帯用のケースが多数提案されている。
【０００３】
このような携帯用ケースでは、収納されていた錠剤を取り出すときには、容器本体と蓋部材とを周方向の位相が異なるように回動させ、容器本体と蓋部材のそれぞれの周壁に設けられた開口を一致させて開いて錠剤を取り出すようにしている収納ケースがある。
【０００４】
例えば、ほぼ円筒形の本体と、ほぼ円筒形の蓋部材よりなるキャンディ等の粒状の物品の容器がある。これには、本体と蓋部材の両方の互いに整合し得る位置に取り出し開口部が設けられ、また本体と蓋部材との間には係止手段が設けられ、係止手段は、本体及び蓋部材の一方の周壁部に形成された周方向溝と、本体及び蓋部材の他方に形成され、周方向溝に摺動可能に受け入れられる突起とからなり、蓋部材が本体から外れるのを防止すると同時に本体と蓋部材の相対回転範囲を前記２つの開口部が一致する状態を含む一定の範囲に限定している容器である（特許文献１）。
【０００５】
公知文献を以下に示す。
【先行技術文献】
【特許文献】
【０００６】
【特許文献１】特開２００８−４４６３１号公報
【発明の概要】
【発明が解決しようとする課題】
【０００７】
上記先行技術文献の容器では、本体及び蓋部材の一方に周方向溝と、他方に突起とを設けて、外れるのを防止すると同時に、本体と蓋部材の相対回転範囲を限定しているので、周壁部に設けられた突起の1点の位置で止めることになり、本体と蓋部材が外れやすく、ばらばらになる恐れがある。
【０００８】
また、この容器は本体に蓋部材を被せて形成されるが、蓋部材の縁部が鋭いままになってけがの可能性があることを避けるため、通常ロール工程などで折り返されている。したがって開口部は蓋部材の下縁ぎりぎりに作ることができなかった。
【０００９】
本発明は上記のような事情に鑑みてなされたもので、上部材と下部材のそれぞれの周壁に設けられた貫通孔または切り欠き部を重ね合わせて取り出し口が形成される錠剤収納ケースで、上部材と下部材とが外れてしまう恐れのない錠剤収納ケースを提供することを課題としている。
【課題を解決するための手段】
【００１０】
本発明は係る課題に鑑みなされたものであり、請求項１の発明は、上部材と下部材を有する錠剤収納ケースであって、
前記上部材は、円形の上面板と該上面板の周縁部より下方に伸びる上部材周壁からなり、前記下部材は、円形の下面板と該下面板の周縁部より上方に伸びる下部材周壁からなり、
前記上部材と前記下部材が、前記上面板と前記下面板のそれぞれの中央で、回転軸が軸受けで嵌合して互いに回転可能に一体に組み合わされ、前記上部材周壁と前記下部材周壁は、いずれかが外側となって重なり合い、それぞれに設けた貫通孔または切り欠き部が重なることによって、取り出し口が形成されることを特徴とする錠剤収納ケースである。
【００１１】
本発明の錠剤収納ケースは、以上のような構成であって、上部材と下部材が、上面板と下面板のそれぞれの中心で、回転軸と軸受けで嵌合して互いに回転可能に一体に組み合わされているので、上部材と下部材とが外れてしまう恐れがない。
【００１２】
また、上部材と下部材の縁部が外に出ておらず、縁部をロール工程などで折り返す必要がないので、それぞれの貫通孔または切り欠き部を重ね合わせて形成する取り出し口を、周壁の上下ぎりぎりまで大きく設けることができる。
【００１３】
本発明の請求項２の発明は、前記上部材周壁と前記下部材周壁の外面または外側に、滑り止め機構を設けた外周壁が設けられていることを特徴とする請求項１に記載の錠剤収納ケースである。
【００１４】
本発明は、上部材周壁と下部材周壁の外面または外側に、滑り止め機構を設けた外周壁が設けられているので、上部材と下部材の回転を容易に行うことができる。
【００１５】
本発明の請求項３の発明は、前記上部材周壁と前記下部材周壁のいずれか一方に欠損部が設けられ、他方に凸部が設けられ、前記凸部が前記欠損部内で周方向に移動可能で、移動可能範囲が、前記上部材周壁と前記下部材周壁のそれぞれに設けた前記貫通孔または切り欠き部が重なる位置から重ならない位置までであることを特徴とする請求項１または２に記載の錠剤収納ケースである。
【００１６】
本発明は、一方の周壁に設けられた凸部が、他方の周壁に設けられた欠損部の内部で移動するので、周方向の移動可能範囲が限定され、取り出し口を開口するための上部材と下部材の回転を小さく制限できる。このため、当該回転が取り出し口を開口するために必要な範囲以上に回転することがなくなる。
【００１７】
本発明の請求項４の発明は、前記上部材周壁と前記下部材周壁のいずれか一方に縦方向の突起と、他方に縦方向の溝を、いずれか一方を１本または２本、他方を２本設け、前記上部材周壁と前記下部材周壁のそれぞれに設けた前記貫通孔または切り欠き部が重なる位置と、重ならない位置でいずれかの前記突起がいずれかの前記溝に嵌り込んでロックすることを特徴とする請求項１から３のいずれか１項に記載の錠剤収納ケースである。
【００１８】
本発明はさらに、上部材周壁と下部材周壁のそれぞれに設けた貫通孔または切り欠き部が重なる位置と、重ならない位置のそれぞれで、突起が溝に嵌り込んで上部材と下部材とをロックするので、取り出し口が開口または閉口した状態で上部材と下部材とを固定することができ、また、嵌まり込むときの感触により、安心できる。
【発明の効果】
【００１９】
本発明の錠剤収納ケースは、上部材と下部材とが外れてしまう恐れがない。また、上部材と下部材の縁部が外に出ておらず、縁部をロール工程などで折り返す必要がないので、それぞれの周壁の貫通孔または切り欠き部を大きく設けることができ、取り出し口を大きくすることができる。そのため、収納する錠剤の大きさより余計に、錠剤収納ケースを厚くする必要がない。
【図面の簡単な説明】
【００２０】
【図１】本発明の錠剤収納ケースの一例を模式的に斜視で示した説明図である。
【図２】本発明の錠剤収納ケースの一例を上部材と下部材に分離した状態を模式的に示した説明図である。
【図３】本発明の錠剤収納ケースの一例の上部材を模式的に斜視で示した説明図である。（ａ）斜め上から見た図である。（ｂ）上下を逆にして斜め上から見た図である。
【図４】本発明の錠剤収納ケースの一例の下部材を模式的に斜視で示した説明図である。（ａ）上下を逆にして斜め上から見た図である。（ｂ）斜め上から見た図である。
【図５】本発明の錠剤収納ケースの一例で上部材を下部材に嵌め込む状態を模式的に斜視で示した説明図である。
【図６】本発明の錠剤収納ケースの一例の錠剤取出し口を開けた状態を模式的に正面で示した説明図である。
【図７】図６のＸ−Ｘ断面図である。
【図８】（ａ）本発明の錠剤収納ケースの一例を模式的に平面で示した説明図である。（ｂ）図８（ａ）のＹ−Ｙ断面図である。（ｃ）図８（ｂ）のＺ部の部分拡大図である。
【発明を実施するための形態】
【００２１】
以下、本発明を実施するための形態につき説明する。
図１は、本発明の錠剤収納ケースの一例を模式的に斜視で示した説明図である。
図２は、本発明の錠剤収納ケースの一例を上部材と下部材に分離した状態を模式的に示した説明図である。
図３は、本発明の錠剤収納ケースの一例の上部材を模式的に斜視で示した説明図である。（ａ）斜め上から見た図である。（ｂ）上下を逆にして斜め上から見た図である。
図４は、本発明の錠剤収納ケースの一例の下部材を模式的に斜視で示した説明図である。（ａ）上下を逆にして斜め上から見た図である。（ｂ）斜め上から見た図である。
【００２２】
本発明の一例の錠剤収納ケース１００は、図１、図２に示すように、上部材１と下部材２とからなっている。上部材１は、図３（ａ）の斜め上から見た図、および、図３（ｂ）の上下を逆にして斜め上から見た図のように、円形の上面板１１と、上面板１１の周縁部より下方に伸びる上部材周壁１２を有している。
【００２３】
上面板１１の中央には、軸受け１３が設けられ、また、軸受け１３に回転軸を導き、収納された錠剤が回転軸に当たらないに保護する丸筒状の外筒１４が、上面板１１の下面に軸受け１３を囲んで下方に向かって設けられている。
【００２４】
上部材周壁１２には取り出し口を形成するための上部材側切り欠き部１５が設けられている。また更に、上部材周壁１２には、上部材側切り欠き部１５と別の位置に、内側に出っ張った凸部１６が設けられている。また、図３では見えないが、凸部１６の周方向左右に、２つの縦方向の突起１７が設けられている。
【００２５】
そして、上部材周壁１２の外面上部には、外周面に縦溝を複数設けて滑り止め機構とした上部材外周壁１８が設けられている。この上部材外周壁１８を手で持つことによって、上部材１を回しやすくしている。尚、上部材側切り欠き部１５と同じ部分には、上部材外周壁１８にも切り欠きが設けられている。
【００２６】
下部材２は、図４（ａ）の上下を逆にして斜め上から見た図、（ｂ）斜め上から見た図のように、円形の下面板２１と、下面板２１の周縁部より上方に伸びる下部材周壁２２を有している。
【００２７】
下面板２１の中央には、回転軸２３が上方に向かって設けられ、また、回転軸２３の先端には嵌合部２４が設けられている。この嵌合部２４が軸受け１３に嵌合して、上部材１
と下部材２が回転可能に一体化している。回転軸２３は、その嵌合部２４を軸受け１３に嵌合させるときに細くなって嵌合させやすいように、縦に間隙を挟んで３つに分割されている。
【００２８】
下部材周壁２２には、上部材側切り欠き部１５と重なり合って、取り出し口を形成するための下部材側切り欠き部２５が設けられている。また更に、下部材周壁２２には、下部材側切り欠き部２５と別の位置に、欠損部２６が設けられている。また、欠損部２６の周方向左右に、縦方向の溝２７が設けられている。
【００２９】
そして、下部材周壁２２の外側には、外周面に縦溝を複数設けて滑り止め機構とした、下部材周壁２２の高さの半分より低い下部材外周壁２８が設けられている。この下部材外周壁２８と前述の上部材外周壁１８をそれぞれ手で持って、上部材１と下部材２を相対的に回しやすくしている。尚、下部材側切り欠き部２５と同じ部分には、下部材外周壁２８にも切り欠きが設けられている。
【００３０】
図５は、本発明の錠剤収納ケースの一例で上部材を下部材に嵌め込む状態を模式的に斜視で示した説明図である。
図６は、本発明の錠剤収納ケースの一例の錠剤取出し口を開けた状態を模式的に正面で示した説明図である。
【００３１】
上部材１と下部材２を、図５のように対向させ、回転軸２４を外筒１４に差し込んで、下部材周壁２２の外側に上部材周壁１２を被せていき、下部材周壁２２の欠損部２６に、上部材周壁１２の凸部１６が入るように入れ、回転軸２３の先端の嵌合部２４を軸受け１３に嵌合させる。
【００３２】
回転軸２４を外筒１４に差し込むとき、回転軸２４は縦に間隙を挟んで３つに分割されているので、外筒の内径より外径の太い嵌合部２４が細くなって、容易に外筒１４に差し込むことができ、そのまま、軸受け１３に差し込むことができる。軸受け１３は先端側が広く、内側が外筒１４の内径と同じになっているので、差し込まれた嵌合部１４は、広がって抜けなくなる。
【００３３】
このようにして、上部材１と下部材２を軸受け１３と回転軸２４で嵌合することによって、互いに回転可能に一体に組み合わされる。上部材１と下部材２を相対的に回して、図６のように、上部材側切り欠き部１５と下部材側切り欠き部２５を重なるようにすると、中に収納された錠剤の取り出し口である開口３となる。
【００３４】
図７は、図６のＸ−Ｘ断面図である。このように、上部材１の上部材周壁１２は、下部材２の下部材外周壁２８と下部材周壁２２に挟まれている。そして、下部材周壁２２の欠損部２６に上部材周壁１２の凸部１６が入っている。
【００３５】
このようになっているので、凸部１６は欠損部２６の範囲内で周方向に移動可能になっている。図の位置で、上部材側切り欠き部１５と下部材側切り欠き部２５が重なり合って、錠剤の取り出し口が形成されている。
【００３６】
そして、欠損部２６の周方向左右に設けた２つの溝２７の一方に、凸部１６の周方向左右に設けた２つの突起１７の一方が嵌り込んでロックしている。このため、取り出し口が形成された位置で、上部材１と下部材２とを固定することができるので、ロックされれば、取り出し口の開口状態を維持できる。
【００３７】
また、溝２７の他方に突起１７の他方を嵌り込むようにしてロックすると、上部材側切
り欠き部１５と下部材側切り欠き部２５が重ならなくなり、取り出し口が閉じた状態で上部材１と下部材２とを固定することができるので、意図せずに取り出し口が開いて、収納された錠剤が飛び出してしまうことがない。
【００３８】
図中央の回転軸２３は丸筒状の外筒１４の中に納まっていて、収納された錠剤が回転軸２３に当たらないように保護している。
【００３９】
図８（ａ）は、本発明の錠剤収納ケースの一例を模式的に平面で示した説明図である。（ｂ）は、図８（ａ）のＹ−Ｙ断面図である。（ｃ）は、図８（ｂ）のＺ部の部分拡大図である。
【００４０】
図８（ａ）のように、回転軸２３の嵌合部２４は、軸受け１３に上から見えるように嵌り込んでいる。そして、図８（ｂ）のＹ−Ｙ断面図、図８（ｃ）の部分拡大図のように、下部材２の下面板２１より上方に立ち上がっている回転軸２３は、上部材１の外筒１４の中を通って、その先端の嵌合部２４が、上面板１１の軸受け１３に嵌合している。
【００４１】
先端の嵌合部２４は上面の外端部分が、根元に向かって傾斜していて、傾斜の終端で直角に軸の中心方向に切れ込んでいる。そして軸受け１３は外側が広く開口して、上下中央部分で直角の段差を持って狭くなっている。そのため、回転軸２３の先端の嵌合部２４は、一端、軸受けに差し込まれると、戻って抜けるようなことがおきにくくなる。
【００４２】
以上のように本発明の錠剤収納ケースは、上部材と下部材が、上面板と下面板のそれぞれの中央で、回転軸と軸受けで嵌合して互いに回転可能に一体に組み合わされているので、上部材と下部材とが外れてしまう恐れがない。また、上部材と下部材の縁部が外に出ておらず、縁部を折り返す必要がないので、取り出し口となる貫通孔または切り欠き部を周壁の上下ぎりぎりまで大きく設けることができる。
【００４３】
また、上部材周壁と下部材周壁の外面または外側に、滑り止め機構を設けた上部材外周壁と下部材外周壁を設けているので、手が滑らず、容易に回転させ取り出し口を開けたり閉めたりすることができる。
【００４４】
更にまた、一方の周壁に設けられた凸部が、他方の周壁に設けられた欠損部内で移動するので、周方向の移動可能範囲が限定され、取り出し口を開口するための上部材と下部材の回転を小さく制限でき、該回転が取り出し口を開口するために必要な範囲以上に回転することがない。
【００４５】
また更に、上部材周壁と下部材周壁のいずれか一方に突起と、他方に溝が設けてあり、上部材周壁と下部材周壁のそれぞれに設けた貫通孔または切り欠き部が重なる位置と、重ならない位置のそれぞれで、突起が溝に嵌り込んで上部材と下部材とをロックするので、取り出し口が開口または閉口した状態で、上部材と下部材とを固定することができ、また、嵌まり込むときの感触により確認でき安心できる。
【００４６】
本例では、上部材１に軸受け１３を設け、下部材２に回転軸２３を設けたが、これに限ることなく、回転軸を別部材とし、上部材１と下部材２にそれぞれ軸受けを設け、それぞれの軸受けに回転軸を嵌合させても良い。
【００４７】
また、上部材周壁１２を下部材周壁２２の外側に重なるようにしたが、逆に、下部材周壁２２を上部材周壁１２の外側に重なるようにしても良い。本例ではまた、取り出し口を形成するのに、上部材周壁１２と下部材周壁２２に切り欠き部１５、２５を設けたが、貫通孔を設けても良い。
【００４８】
また、上部材周壁１２に縦方向の突起１７を、下部材周壁２２に縦方向の溝２７を設けたが、逆にして、下部材周壁に縦方向の突起を、縦方向の溝を設けても良い。更には、突起と溝を２箇所ずつ設けたが、どちらかを１箇所にしてもよく、取り出し口が開いた状態と閉じた状態の２つの状態でロックできれば良い。
【００４９】
また、取り出し口を１箇所のみ設けたが、これに限ることなく、対応する貫通孔または切り欠き部を上部材と下部材に複数設けることで、複数の取り出し口を設けることも可能である。
【符号の説明】
【００５０】
１００・・・錠剤収納ケース
１・・・上部材
１１・・・上面板
１２・・・上部材周壁
１３・・・軸受け
１４・・・筒状の外筒
１５・・・上部材側切り欠き部
１６・・・凸部
１７・・・突起
１８・・・上部材外周壁
２・・・下部材
２１・・・下面板
２２・・・下部材周壁
２３・・・回転軸
２４・・・嵌合部
２５・・・下部材側切り欠き部
２６・・・欠損部
２７・・・溝
２８・・・下部材外周壁
３・・・開口
【図１】
2015081105.tif 000003
【図２】
2015081105.tif 000004
【図３】
2015081105.tif 000005
【図４】
2015081105.tif 000006
【図５】
2015081105.tif 000007
【図６】
2015081105.tif 000008
【図７】
2015081105.tif 000009
【図８】
2015081105.tif 000010